(57)【要約】【課題】  改良された特性を有し、かつ安価な、軽構造の構成部品とそれを形成する方法を提供する。【解決手段】  シェル形状の基礎支持体（２）と、少なくとも１つのコア部材（６）を有し、基礎支持体（２）が少なくとも１つの閉鎖継目（８）を有しており、かつ誤差を補償する少なくとも１つの中間層（４）を介してコア部材（６）と結合されている、構成部品（１）。【選択図】  図１
2007511413.tif 000002
【特許請求の範囲】
【請求項１】
シェル形状の基礎支持体（２）と、少なくとも１つのコア部材（６）を有し、基礎支持体（２）が少なくとも１つの閉鎖継目（８）を有しており、かつ誤差を補償する少なくとも１つの中間層（４）を介してコア部材（６）と結合されている、構成部品（１）。
【請求項２】
基礎支持体（２）が、一体的また幾つかに分かれて形成されていることを特徴とする請求項１に記載の構成部品。
【請求項３】
閉鎖継目（８）が、少なくとも１つの接合箇所（１０）を有していることを特徴とする請求項１または２に記載の構成部品。
【請求項４】
基礎支持体（２）が、接合方法、特に溶接、半田付け、接着、貫通接合および／またはリベット止めの方法によって、閉鎖継目（８）を介して閉鎖されていることを特徴とする請求項１から３のいずれか１項に記載の構成部品。
【請求項５】
閉鎖継目（８）が、溶接、半田付け、貫通接合または接着の際に、かつ／または接合後に、閉鎖された基礎支持体（２）の厚みに相当する厚み（８ａ）を有することを特徴とする請求項１から４のいずれか１項に記載の構成部品。
【請求項６】
接合後の閉鎖継目（８）の厚み（８ａ）が、最大で閉鎖された基礎支持体（２）の厚みの１０倍であることを特徴とする請求項１から５のいずれか１項に記載の構成部品。
【請求項７】
基礎支持体（２）が、切欠きを有し、特に部分的に穿孔されて形成されていることを特徴とする請求項１から６のいずれか１項に記載の構成部品。
【請求項８】
特に接合箇所（１０）で、統合が行われることを特徴とする請求項７に記載の構成部品。
【請求項９】
コア部材（６）が、プラスチック部材であることを特徴とする請求項１から８のいずれか１項に記載の構成部品。
【請求項１０】
誤差を補償する中間層（４）が、接着剤および／またはシール材料、両面接着バンドおよび／またはシール細片または発泡材細片を有していることを特徴とする請求項１から９のいずれか１項に記載の構成部品。
【請求項１１】
付加的に部材（１２）として、電気的導線、導体路、グラスファイバーケーブル、センサ、伸張測定細片および／または電子チップが設けられていることを特徴とする請求項１から１０のいずれか１項に記載の構成部品。
【請求項１２】
請求項１から１１のいずれか１項に記載の構成部品（１）を形成する方法であって、同方法において断面が開放した基礎支持体（２）の内側上に、誤差を補償する中間層（４）が取り付けられて、少なくとも１つのコア部材（６）が中間層（４）上に設けられ、基礎支持体（２）が閉鎖されて、適切な接合技術を介して１つまたは複数の閉鎖継目（８）に沿って永続的に結合される、構成部品を形成する方法。
【請求項１３】
付加的に、電気的導線、導体路、グラスファイバーケーブル、センサ、伸張測定細片および／または電子チップのような部材（１２）が挿入されることを特徴とする請求項１２に記載の方法。
【請求項１４】
請求項１から１２のいずれか１項に記載の構成部品（１）の、車両または飛行機内における使用。
【発明の詳細な説明】
【技術分野】
【０００１】
本発明は、構成部品、特にシェル形状の基礎支持体と少なくとも１つのコア部材とを有するハイブリッド構成部品に関する。
【背景技術】
【０００２】
この種の構成部品、たとえば管支持体または横支持体は、車両製造に使用され、あるいはまたそれに応じた形態で飛行機製造にも使用される。たとえば管からなる横支持体は、多くは、より良い弾性係数に基づいて、金属だけから形成され、その場合にたとえば鋼薄板またはアルミニウム薄板から深絞りされた基体が補強リブと溶接され、リベット止めされ、あるいはねじ止めされる。構成部品は、十分な曲げ強度、折曲強度および捻り強度を与えられ、かつ十分に圧力をかけることができるようにするために、それに応じた大きい肉厚を有している。それに基づいて大きい重量とコストの欠点がもたらされる。構成部品は、原理的に、たとえば空調設備のために、空気を案内するために利用される。その場合に、金属管に望ましくない復水が着きやすい、という欠点が生じる。
【０００３】
さらに、安定させるために溶接されたウェブを有する２シェルの構造を有する構成部品が知られている。この種の構成部品は、従来技術（たとえば、特許文献１を参照）から知られている。この構成部品は、製造が極めて煩雑であって、大きい重量を有している。
【０００４】
他の従来技術（たとえば、特許文献２を参照）からは、支持体として自動車内に挿入可能な、ハイブリッド構造の軽構成部品が知られており、それは好ましくは金属からなる、シェル状の基体を有しており、その基体の内部空間に補強リブが配置されている。補強リブは、射出形成されたプラスチックからなり、プラスチックが金属部品内に配置された切欠きを貫通し、切欠きの面を越えて突出することによって、金属の基体と非連続的な結合箇所で結合されている。金属の基体は、Ｕ字状に形成されており、補強リブが高い強度と剛性を得るために基体の内部空間を貫通している。この既知のハイブリッド構成部品は、好ましい、わずかな重量を有すると同時に、十分な強度、剛性および負荷耐性を有している。
【０００５】
さらに他の従来技術（たとえば、特許文献３を参照）からは、射出形成されたプラスチックリブで補強された、シェル形状の基体を有するハイブリッド構造の横支持体が知られている。このプラスチックリブは、空気通路として用いられるプラスチック管を挿入することができるように、成形されている。このように通路を形成することは、煩雑である。というのは、通路を別に形成して、１つの作業工程で挿入しなければならないからである。このようにその形状において適合されたリブが、安定性を損なう。
【特許文献１】ドイツ特許公報ＤＥ１９７２０９０２
【特許文献２】欧州特許公報ＥＰ０３７０３４２
【特許文献３】ドイツ実用新案ＤＥ２０００８２０１Ｕ１
【発明の開示】
【発明が解決しようとする課題】
【０００６】
前述の従来技術に基づいて、本発明の課題は、改良された特性を有し、かつ安価な、軽構造の構成部品とそれを形成する方法を提供することである。
【課題を解決するための手段】
【０００７】
この課題は、本発明によれば、シェル形状の基礎支持体と少なくとも１つのコア部材とを有し、その場合に基礎支持体が少なくとも１つの閉鎖継目を有し、誤差を補償する少なくとも１つの中間層を介してコア部材と結合されている、構成部品によって解決される。
【０００８】
さらに、本発明は、本発明に基づく構成部品を形成する方法に関するものであって、同方法において閉鎖されていない基礎支持体の内側上に誤差を補償する中間層が挿入されて、その中間層の上に少なくとも１つのコア部材が設けられ、基礎支持体が閉鎖されて、適切な接合技術を介して１つまたは複数の閉鎖継目に沿って永続的に結合される。
【０００９】
さらに、本発明は、本発明に基づく構成部品の、自動車または飛行機内における使用に関する。
【００１０】
好ましい展開が、従属請求項の対象である。
【発明の実施の形態】
【００１１】
本発明は、高い弾性係数（Ｅモジュールと略称）と同時にわずかな重量と小さい熱伝導性を有する、安価で安定した軽構造の構成部品を提供する、という考えに基づいている。そのために、構成部品は、たとえば金属からなる、安定したシェル形状の基礎支持体と、たとえばプラスチックからなる、コア部材とを有している。基礎支持体の内側とコア部材は、誤差を補償する少なくとも１つの中間層を介して結合されている。
【００１２】
構成部品において、無数の材料および表面の組合わせが可能である。これが、構成部品を形成する際の高い柔軟性と、その使用可能性における高い柔軟性をもたらす。
【００１３】
さらに、この形成方法を用いて金属の基礎支持体とコア部材の材料による結合が付着を介して可能である。誤差補償は、好ましくは、接着剤のような中間層を介して達成される。形成方法とそれによって形成された構成部品は、中間層が付着する場合に、均一な応力分布によって、構成部品内の結合システムの単純なモデリングを可能にする。構成部品は、さらに、高い面抵抗モーメントを有する。というのは、閉鎖された、できるだけ薄い金属の基礎支持体がコア部材を包囲しているからである。その場合に基礎支持体は、まっすぐな基礎支持体に限定されず、上面で見て、たとえば車両または飛行機の底グループまたは平面的な凹部部品においてとることのできるような、形状をとることもできる。
【００１４】
さらに、構成部品は、空間の節約をもたらす。というのは、基礎支持体内で、たとえば基礎支持体によって形成される中空室内で、空気案内部材または導線のようなガイド部材を案内することができるからである。基礎支持体の穴の形状の切欠きのような、特殊な基礎支持体構造を通して、コア部材が外側へ突出することができ、それによってたとえばエアバッグのねじ止めのような、機械的統合が可能となる。構成部品の特別な結合構造と形成方法は、さらに、迅速かつ安価なプロトタイプ形成を許し、それがまさに車両形成において極めて重要である。これは、特に、わずかな工具コストおよび工具変更コストによっても達成することができる。というのは、コア部材を有するモジュラー構造を選択することができるからである。それによって、たとえば右と左の半分についてフレキシブルな解決が与えられ、それはどの射出工具または変形工具も可能としないものである。
【００１５】
コア部材は、さらに、空気流の案内と遮蔽、金属基礎支持体の外部にある構成部品の統合および／または金属からなる補強部材による構造の補強のような、課題を満たすことができる。
【００１６】
本発明の主旨におけるシェル形状の金属基礎支持体というのは、特に、高い弾性係数を有する金属または金属組成からなる一体的または幾つかに分かれた基礎支持体である。好ましくは構成部品、すなわち複合部材は、鋼からなる基礎支持体を有している。金属基礎支持体は、様々な構造または上に取り付けられた材料を有する特殊な表面、たとえば穴あきの表面を有することができる。基礎支持体の穴を通してコア部材が外側へ突出することができ、それによって統合が可能となる。本発明の主旨における統合というのは、たとえば機械的な統合である。特に適しているのは、機械的な統合、たとえばエアバッグおよび／またはステアリングコラムである。
【００１７】
他の形態において、構成部品内で少なくとも１つのコア部材が基礎支持体と結合されて配置されている。コア部材は、プラスチックまたは、鋼のような金属からなる機能構成部品であることができる。好ましくはコア部材は、プラスチック部材である。プラスチックは、少ない重量と小さい熱伝導性を有する。コア部材は、一体的または幾つかに分けることができる。好ましくはコア部材は、空気流の案内と遮蔽、金属基礎支持体の外部にある構成部品の統合、コア部材内の金属からなる補強による構造の強化のような、課題を満たすことができる。構成部品は、コア部材の他に、さらに、電気的導線、導体路、グラスファイバーケーブル、センサ、伸張測定細片および／または電子チップを有することができる。
【００１８】
さらに、基礎支持体は、少なくとも１つの閉鎖継目を有している。閉鎖継目は、金属基礎支持体とコア部材から形成される空間をほぼ包囲することができる。特に応力の少ない箇所においては、たとえばケーブルハーネスを内側から外側へ、あるいはその逆に案内するために、閉鎖継目の短い中断が、欠点なしで可能である。
【００１９】
閉鎖継目は、好ましくは少なくとも１つの接合箇所を有している。基礎支持体は、好ましくは閉鎖継目を介して適切な接合技術によって閉鎖されている。特に好ましくは、基礎支持体は溶接、半田付け、接着、貫通接合、ボルトおよび／またはリベットによって閉鎖継目を介して閉鎖されている。他の実施形態においては、基礎支持体は、接着と貫通接合の組合わせによって閉鎖されている。
【００２０】
好ましくは閉鎖継目は、とくに溶接、半田付け、貫通接合または接着の際に、閉鎖された基礎支持体の厚みに相当する厚みを有している。リベットまたはボルトのような、接合方法において、閉鎖継目の厚みは、好ましくは閉鎖された基礎支持体の厚みの１０倍を上回らない。
【００２１】
基礎支持体とコア部材との結合は、大部分が、誤差を補償する中間層を介して行われる。本発明の主旨における誤差を補償する中間層というのは、好ましくは、接着剤とシール材、両面接着バンドおよび／またはシール細片または発泡材細片を有する、中間層である。特に適した、誤差を補償する中間層は、たとえばポリウレタン接着剤である。
【００２２】
構成部品は、まっすぐな基礎支持体に限定されず、上面において他の形状をとることもできる。本発明の主旨における他の形状は、たとえば車両または飛行機の底グループあるいは平面的な凹部部品に設けられるような、形状である。
【００２３】
構成部品を形成する方法において、最初に、閉鎖されていない基礎支持体の内側上に誤差を補償する中間層が挿入されて、その中間層の上に少なくとも１つのコア部材が設けられる。開放されている基礎支持体が、その後閉鎖されて、適切な接合技術を介して１つまたは複数の閉鎖継目に沿って永続的に結合される。選択的に、さらに、たとえば電気的導線、導体路、グラスファイバーケーブル、センサ、伸張測定細片および／または電子チップを一緒に挿入し、あるいは接着することができる。
【００２４】
構成部品を形成する方法は、以下の処理ステップから構成される：
Ｉ）閉鎖されていない、１つまたは複数の基礎支持体を用意し、
II）誤差を補償する少なくとも１つの中間層を挿入し、
III）少なくとも１つのコア部材および／または選択的に、たとえば電気的導線、導体路、グラスファイバーケーブル、センサ、伸張測定細片および／または電子チップのような、他の部材を挿入し、
IV）開放している基礎支持体を閉鎖し、
Ｖ）閉鎖された基礎支持体を、１つまたは複数の閉鎖継目に沿って適切な接合技術を介して永続的に結合する。
【００２５】
構成部品は、各技術的な分野で使用することができる。特に好ましくは、構成部品は車両製造および飛行機製造において使用される。構成部品は、たとえば計器パネル支持体として、全部のホルダおよび空気通路並びに空調設備の部品を有することができる。
【実施例】
【００２６】
以下、図面を参照しながら、実施例を用いて本発明を詳細に説明する。互いに相当する部分は、すべての図において同一の参照符号を有している。
【００２７】
図１は、構成部品１の、たとえば車両または飛行機のための横支持体の、矩形の実施例を示している。構成部品１は、基礎支持体２を有している。基礎支持体２の内側に、誤差を補償する中間層４を介在させて、コア部材６が挿入されている。基礎支持体２として用いられるのは、たとえば金属ボディまたは金属のプロフィール、特にシェル形状の金属プロフィールである。コア部材６は、構成部品１を軽構造にするためにプラスチックから形成されている。中間層４として、好ましくはプラスチックからなる層が設けられている。代替的に、中間層４を両面の接着バンドおよび／またはシール細片あるいは発泡材細片として形成することができる。すなわち、基礎支持体２は、中間層４を介してコア部材６と結合されている。基礎支持体２は、さらに、閉鎖継目８に沿って接合箇所１０を介して永続的に結合することができる。
【００２８】
図２は、幾つかに分かれた構成部品１を示している。基礎支持体２は、この実施例においては２つの閉鎖継目８を有しており、それら閉鎖継目は永続的に結合するために複数の接合箇所１０を有している。プラスチック挿入部分またはコア部材６に加えて、構成部品１内へ、特にコア部材６と基礎支持体２の間に形成された中空室Ｈ内に、たとえば電気的導線のような、他の部材１２が挿入されている。
【００２９】
図３と図４は、構成部品１の閉鎖継目８を詳細に示している。図３において、基礎支持体２は閉鎖継目８を介して溶接によって閉鎖されている。閉鎖継目８の厚み８ａは、結合された基礎支持体２の、この箇所における厚みに相当する。図４において、基礎支持体２は閉鎖継目８を介してボルト１４によって閉鎖されている。その場合に基礎支持体２は、２つに分けて形成されているので、基礎支持体２の２つの部材が閉鎖継目８の領域内で、中間層４とコア部材６を介在させて互いに結合されている。従ってこの実施例においては、閉鎖継目８の厚み８ａは、基礎支持体２の２つの部材、すなわち２つのハーフシェルの厚み、中間層４の厚みおよびコア部材６の厚みに相当する。
【００３０】
図５のＩ）からＶ）は、一体的な基礎支持体２を有する構成部品１、たとえば管支持体を形成する方法のシーケンスを示している。基礎支持体２の２つのハーフシェル３内へ、中間層４として接着剤および／または両面接着バンドおよび／またはシール細片または発泡材細片が挿入される。コア部材６は、２つのハーフシェル３の一方の中で中間層４上に載置されて、基礎支持体２が曲げ箇所１６を介して閉鎖される。基礎支持体２は、閉鎖継目８を介して接合箇所１０においてボルト１４によって永続的に結合される。それぞれ中間層４の種類と形状に応じて、基礎支持体２を閉鎖する際に機械的な負荷によってコア部材６と基礎支持体２の間に形成された中空室Ｈ内で接着剤が分配されることができるので、一周する中間層４が形成される。
【００３１】
図６のＩ）からＶ）は、２つに分かれた基礎支持体２を有する構成部品１を形成する方法のシーケンスを図式的に示している。たとえば、基礎支持体２は２つの部材２ａと２ｂ、たとえば半分開放したプロフィールと蓋を有している。代替的に基礎支持体２を２つのハーフシェルまたは２つの他のハーフプロフィールによって形成することができる。基礎支持体２の２つに分かれた実施形態において、基礎支持体は永続的な結合のために、２つの閉鎖継目８を有している。基礎支持体２の部材２ａ、２ｂの内側に、誤差を補償する中間層４として接着材、両面接着バンドおよび／またはシール細片または発泡材細片が挿入される。コア部材６は、基礎支持体２の一方の部材２ｂの中間層４上に設けられる。その後、基礎支持体２の他方の部材２ａが部材２ｂとその中に挿入されているコア部材６上にかぶせられて、基礎支持体２の２つの部材２ａ、２ｂが閉鎖継目８を介して接合箇所１０においてボルト１４によって永続的に結合される。
【図面の簡単な説明】
【００３２】
【図１】閉鎖継目を有する構成部品を示す斜視図である。
【図２】２つの閉鎖継目を有する構成部品を示す上面図である。
【図３】構成部品の閉鎖継目の詳細を示す図である。
【図４】貫通結合を有する閉鎖継目の詳細を示す図である。
【図５】Ｉ）から５Ｖ）は、１つの基礎支持体と１つの閉鎖継目とを有する構成部品を形成する方法のシーケンスを図式的に示している。
【図６】Ｉ）から６Ｖ）は、２つの基礎支持体と２つの閉鎖継目とを有する構成部品を形成する方法のシーケンスを図式的に示している。
【符号の説明】
【００３３】
１  構成部品
２  基礎支持体
２ａ、２ｂ  基礎支持体の部材
３  基礎支持体のハーフシェル
４  中間層
６  コア部材
８  閉鎖継目
８ａ  閉鎖継目の厚み
１０  接合箇所
１２  部材
１４  ボルト
１６  曲げ箇所
【図１】
2007511413.tif 000003
【図２】
2007511413.tif 000004
【図３】
2007511413.tif 000005
【図４】
2007511413.tif 000006
【図５】
2007511413.tif 000007
【図６】
2007511413.tif 000008
【国際調査報告】
2007511413.tif 000009
2007511413.tif 000010
2007511413.tif 000011
2007511413.tif 000012